(57)【要約】【課題】建物の換気設備が設置された周辺を照らすことによって、その周辺領域の環境改善を図る。【解決手段】換気設備２４は、換気通路３１と、換気扇装置３２と、屋外フード３３とを備え、換気扇装置３２の換気ファン４３が駆動することにより、屋内の空気が換気通路３１及び屋外フード３３を通じて屋外へ排気される。屋外フード３３の排気口５５には、発光ダイオード（ＬＥＤ）６２を発光部とする発光ユニット６３が設けられている。発光ユニット６３は青色を含む複数色のＬＥＤ６２を有しており、屋外フード３３の下方及び排気口５５が光照射範囲となるように配置されている。そして、このＬＥＤ６２は、換気ファン４３の駆動時に青色光で発光するように発光制御される。【選択図】図２
2012037105.tif 000002
【特許請求の範囲】
【請求項１】
換気ファンの駆動によって屋内外を換気する建物の換気設備であって、
屋内側に設けられ、屋内側通気口を有する屋内側構成部と、
屋外側に設けられ、屋外側通気口を有する屋外側構成部と、
発光ダイオードによって青色を含む複数の発光色で変色可能に発光する発光部を有し、前記屋内側構成部及び前記屋外側構成部の少なくともいずれかに設けられた照明手段と、
を備え、前記照明手段によって屋内外の少なくともいずれかを照らすようにしたことを特徴とする建物の換気設備。
【請求項２】
前記換気ファンは、屋内から屋外へ向かう空気流を形成する機能を有し、
前記照明手段は前記屋外側構成部に設けられ、前記発光部はその光照射範囲に前記屋外側通気口の周辺が含まれるように配置され、
さらに、前記換気ファンの駆動時に前記発光部を青色光で発光させる発光制御手段を備えたことを特徴とする請求項１に記載の建物の換気設備。
【請求項３】
前記換気ファンは、屋外から屋内へ向かう空気流を形成する機能を有し、
前記照明手段は前記屋外側構成部に設けられ、前記発光部はその光照射範囲に前記屋外側通気口の周辺が含まれるように配置され、
さらに、前記換気ファンの駆動時に前記発光部を青色光で発光性させる発光制御手段を備えたことを特徴とする請求項１又は２に記載の建物の換気設備。
【請求項４】
前記換気ファンは、屋外から屋内へ向かう空気流を形成する機能を有し、
前記屋内側構成部はその屋内側通気口に物干し用の支持部材を備え、その屋内側構成部に前記照明手段が設けられるとともに、前記発光部は前記支持部材に支持された干し物を光照射可能に配置され、
さらに、前記換気ファンの駆動時に前記発光部を青色光で発光させる発光制御手段を備えたことを特徴とする請求項１乃至３のいずれか１項に記載の建物の換気設備。
【請求項５】
前記発光部は、前記青色に加え、赤色も含む複数の発光色で変色可能となっていることを特徴とする請求項１乃至４のいずれか１項に記載の建物の換気設備。
【請求項６】
前記屋内側構成部は、浴室等の水回り、キッチン、トイレ等の、雑菌やカビが比較的発生し易い建物内空間の少なくともいずれかに設けられたことを特徴とする請求項１乃至５のいずれか１項に記載の建物の換気設備。
【請求項７】
前記照明手段は、前記発光部を発光させるための発光駆動部を有しており、その発光駆動部は、前記屋内側構成部と前記屋外側構成部との間をつなぐ換気通路内に設置されていることを特徴とする請求項１乃至６のいずれか１項に記載の建物の換気設備。
【請求項８】
前記換気通路において、通路延在方向に配置された上下一対の可動板材間に前記発光駆動部が設けられ、
前記両可動板材を水平方向に対して傾斜させて、屋内側から屋外側に向かって上向きに傾斜した第１通路と、屋内側から屋外側に向かって下向きに傾斜した第２通路とのいずれかを形成する通路形成手段を備え、
前記屋外側構成部は、前記第１通路が形成された場合にその内部空間へ屋外側構成部の上端側から外気を取り込む第１取込口と、前記第２通路が形成された場合にその内部空間へ屋外側構成部の下端側から外気を取り込む第２取込口とを有することを特徴とする請求項７に記載の建物の換気設備。
【請求項９】
前記屋外側構成部の周辺を検知領域とする侵入者検知手段を備え、
前記照明手段は、前記侵入者検知手段により侵入者が検知された場合に、前記発光部を発光させるようにしたことを特徴とする請求項１乃至８のいずれか１項に記載の建物の換気設備。
【発明の詳細な説明】
【技術分野】
【０００１】
本発明は、建物の換気設備に関するものである。
【背景技術】
【０００２】
住宅等の建物においてはキッチンや浴室、トイレ等の建物内空間を対象として機械換気が行われる。例えば特許文献１には、キッチンにおいて、調理台の上方に配置されたフードを有する換気装置が設けられている構成が記載されている。この構成では、フードに照明器具が取り付けられており、調理台を含む使用者の作業範囲がその照明器具により照らされるようになっている。ここで、照明器具は白熱電球及び蛍光灯を有しており、白熱電球のオレンジ系の光と蛍光灯の白色系の光とのミックス効果により、調理台において調理物の色を使用者が判断しやすくなる。
【先行技術文献】
【特許文献】
【０００３】
【特許文献１】特開２００５−１４０３６４号公報
【発明の概要】
【発明が解決しようとする課題】
【０００４】
しかしながら、換気装置に取り付けられた照明器具により、調理物などの視認対象がオレンジ系の光と白色系の光とにより照らされる構成では、視認対象を視認しやすくするという照明器具の本来の効果が得られるに過ぎない。したがって、換気装置に照明器具が取り付けられているという構成に関して改善の余地がある。
【０００５】
そこで、本発明は、換気設備周辺を照らすことによって、その周辺領域の環境改善を図ることができる建物の換気設備を提供すること、を主たる目的とする。
【課題を解決するための手段】
【０００６】
本発明は、上記課題を解決するために、以下の手段を採用した。
【０００７】
すなわち、第１の発明では、換気ファンの駆動によって屋内外を換気する建物の換気設備であって、屋内側に設けられ、屋内側通気口を有する屋内側構成部と、屋外側に設けられ、屋外側通気口を有する屋外側構成部と、発光ダイオードによって青色を含む複数の発光色で変色可能に発光する発光部を有し、前記屋内側構成部及び前記屋外側構成部の少なくともいずれかに設けられた照明手段と、を備え、前記照明手段によって屋内外の少なくともいずれかを照らすようにした。
【０００８】
この第１の発明によれば、発光色が可変とされた照明手段によって、換気設備周辺が照らすことにより、発光色がそれぞれ有する機能や効果を活かして換気設備周辺の環境を改善できる。特に、この発明では、少なくとも青色光で発光可能となっているため、換気設備による換気時に青色光で屋内外のいずれかを照らすようにすれば、その青色光が有する殺菌機能を活かし、設備周辺で雑菌やカビが繁殖することを抑制できる。加えて、白色光には周辺を明るくする機能が、電球色には間接照明機能が、赤色光には警告機能、血行促進機能や美肌効果があるため、これらの発光色で適宜発光させることにより、それぞれの発光色が有する機能や効果も活用できる。
【０００９】
また、換気設備に設けられた照明手段を用いて照明の演出が可能となり、換気設備の存在による建物の美観低下を抑制できる。照明演出によって、建物正面側に換気設備を設置することも可能となり、換気設備の配置制限も少なくなるため、間取り設計の幅を広げることもできる。
【００１０】
第２の発明では、前記換気ファンは、屋内から屋外へ向かう空気流を形成する機能を有し、前記照明手段は前記屋外側構成部に設けられ、前記発光部はその光照射範囲に前記屋外側通気口の周辺が含まれるように配置され、さらに、前記換気ファンの駆動時に前記発光部を青色光で発光させる発光制御手段を備えた。
【００１１】
この第２の発明によれば、換気ファンを駆動して屋内の空気を屋外へ排気する場合に、屋外側通気口周辺が青色光で照らされる。このため、屋内の空気に雑菌やカビ等が含まれていても、青色光が有する殺菌機能によって殺菌されながら屋外へ排気される。これにより、屋外への排気を清浄化でき、排気によって近隣等の周囲に悪い影響を及ぼすことを抑制できる。玄関付近等、人が存在することの多い場所にも換気設備を設置することも可能となり、排気が人への悪影響を抑制するという点からも、換気設備の配置制限を少なくすることができる。
【００１２】
第３の発明では、前記換気ファンは、屋外から屋内へ向かう空気流を形成する機能を有し、前記照明手段は前記屋外側構成部に設けられ、前記発光部はその光照射範囲に前記屋外側通気口の周辺が含まれるように配置され、さらに、前記換気ファンの駆動時に前記発光部を青色光で発光性させる発光制御手段を備えた。
【００１３】
この第３の発明によれば、換気ファンを駆動して外気を屋内へ取り込む場合に、屋外側通気口周辺が青色光で照らされる。このため、青色光によって殺菌された状態の外気が屋内に取り込まれる。これにより、清浄化された外気を屋内に取り込むことができ、取り込まれた外気によって屋内環境がかえって悪化することを抑制できる。
【００１４】
第４の発明では、前記換気ファンは、屋外から屋内へ向かう空気流を形成する機能を有し、前記屋内側構成部はその屋内側通気口に物干し用の支持部材を備え、その屋内側構成部に前記照明手段が設けられるとともに、前記発光部は前記支持部材に支持された干し物を光照射可能に配置され、さらに、前記換気ファンの駆動時に前記発光部を青色光で発光させる発光制御手段を備えた。
【００１５】
この第４の発明によれば、屋内側通気口の支持部材に支持された洗濯物等の干し物に、屋外から取り込んだ外気をあてるとともに、発光によって発光部に発生する熱を利用して、その干し物を乾燥させることができる。そして、外気を干し物にあてている間、干し物には青色光が照らされるため、その青色光の殺菌機能により雑菌等の繁殖が抑制される。これにより、雨天等による室内干しの場合であっても、雑菌等によって干し物に臭いがつくおそれを抑制できる。
【００１６】
第５の発明では、前記発光部は、前記青色に加え、赤色も含む複数の発光色で変色可能となっているものとした。
【００１７】
この第５の発明によれば、赤色光が有する警告機能、血行促進機能や美肌効果を活用することができる。例えば、照明手段が屋外側構成部に設けられた場合には、敷地への侵入者を検知した場合に、赤色光で発光させることでその侵入者に対する威嚇ができる。また、同様の場合に、照明手段が屋内側構成部に設けられていれば、屋内の人に注意を喚起できる。その他、照明手段が屋内側構成に設けられた場合には、発光部の照射範囲内やその周囲に存在する人に対して赤色光による血行の促進や美肌効果が与えることができる。
【００１８】
第６の発明では、前記屋内側構成部は、浴室等の水回り、キッチン、トイレ等の、雑菌やカビが比較的発生し易い屋内空間の少なくともいずれかに設けられたことを特徴としている。
【００１９】
この第６の発明によれば、雑菌やカビが比較的発生し易い屋内空間と屋外との間が換気される際に、青色光の殺菌機能を用いて雑菌やカビが殺菌される。これにより、雑菌やカビを含む屋内空気によって近隣等に悪影響を及ぼしたり、外気に含まれる雑菌やカビによって屋内空間にそれらをさらに増やしたりすることを抑制できる。
【００２０】
第７の発明では、前記照明手段は、前記発光部を発光させるための発光駆動部を有しており、その発光駆動部は、前記屋内側構成部と前記屋外側構成部との間をつなぐ換気通路内に設置されていることを特徴とする。
【００２１】
この第７の発明によれば、発光部を発光させることで発光駆動部に熱が発生しても、換気ファンが駆動していれば、それによって換気通路に形成される空気流で発光駆動部を冷却することができる。
【００２２】
なお、換気ファンが非作動の状態で前記照明手段を照明として利用する場合でも、前記発光部を発光させることで前記発光駆動部に生じた熱を発散させることを可能にすべく、次のような構成を採用することが好ましい。
【００２３】
すなわち、第８の発明では、前記換気通路において、通路延在方向に配置された上下一対の可動板材間に前記発光駆動部が設けられ、前記両可動板材を水平方向に対して傾斜させて、屋内側から屋外側に向かって上向きに傾斜した第１通路と、屋内側から屋外側に向かって下向きに傾斜した第２通路とのいずれかを形成する通路形成手段を備え、前記屋外側構成部は、前記第１通路が形成された場合にその内部空間へ屋外側構成部の上端側から外気を取り込む第１取込口と、前記第２通路が形成された場合にその内部空間へ屋外側構成部の下端側から外気を取り込む第２取込口とを有するものとした。
【００２４】
この第８の発明では、相対的に温度の高い空気は温度の低い空気よりも上昇しやすく、温度の低い空気は温度の高い空気よりも下降しやすいという性質が利用される。そして、屋外温度が屋内温度より低い場合、可動板材によって第１通路を形成する。すると、第１取込口から外気が取り込まれ、その外気が第１通路を流通する空気流が形成される。その空気流によって、発光駆動部に生じた熱を発散させることができる。逆に、屋外温度が屋内温度が高い場合、可動板材によって第２通路を形成する。すると、第２取込口から外気が取り込まれ、その外気が第２通路を流通する空気流が形成される。その空気流によって、発光駆動部の熱を発散させることができる。
【００２５】
第９の発明では、前記屋外側構成部の周辺を検知領域とする侵入者検知手段を備え、前記照明手段は、前記侵入者検知手段により侵入者が検知された場合に、前記発光部を発光させるようにした。
【００２６】
この第９の発明によると、照明手段が屋外側構成部に設けられていれば、敷地への侵入者に対して、照明手段が屋内側構成部に設けられていれば屋内の人に対して、発光部の発光によって警告を発することができる。この警告は、侵入者に対しては威嚇となり、屋内の人に対しては注意喚起となる。
【図面の簡単な説明】
【００２７】
【図１】建物のキッチン周辺を示す正面図。
【図２】第１実施形態の換気設備を示す縦断面図。
【図３】屋外フードを屋外からみた一部破断正面図。
【図４】仕切り板部材が傾斜した状態を示す縦断面図。
【図５】照明システムの電気的構成を示すブロック図。
【図６】照明制御処理を示すフローチャート。
【図７】第２実施形態の空調システムを備えた建物の概略平面図。
【図８】空調ユニットを示す斜視図。
【図９】第1実施形態の別例を示す概略図。
【図１０】第２実施形態の別例を示す概略斜視図。
【発明を実施するための形態】
【００２８】
以下、本発明を具体化した実施の形態を図面に基づいて説明する。
【００２９】
［第１実施形態］
この第１の実施形態では、換気設備が建物１０のキッチン１１に設置されている。図１は、そのキッチン１１周辺の構成を示す正面図である。
【００３０】
図１に示すように、住宅等の建物１０には、建物内空間としてキッチン１１が設けられている。キッチン１１には料理用の作業台２１が設置されており、作業台２１には流し台２２やガスコンロ２３が設けられている。キッチン１１を屋外と仕切る外壁部１２には、その天井寄りの部分に、キッチン１１の空気を屋外へ排出する換気設備２４が設けられている。
【００３１】
作業台２１の上方には、収納棚としてのキャビネット２５と、ガスコンロ２３で発生した臭いや熱を含んだ空気を前記換気設備２４に導くレンジフード２６と、が設けられている。換気設備２４は、前記外壁部１２を貫通する換気通路３１と、換気通路３１の屋内側に設けられた換気扇装置３２と、換気通路３１の屋外側に設けられた屋外フード３３とを有している。なお、換気扇装置３２は屋内側構成部に、屋外フード３３は屋外側構成部に相当する。換気扇装置３２はレンジフード２６内に設けられ、その換気扇装置３２が作動すると、図の矢印で示すように、キッチン１１内の空気がレンジフード２６内に導かれ、さらに換気通路３１を通過した後、屋外フード３３から屋外へ排出される。なお、レンジフード２６には、換気扇装置３２を作動させる作動ボタンや、その作動を停止する停止ボタンを有するレンジ操作部２７が設けられている。
【００３２】
次に、前記換気設備２４の構成を、図２及び図３に基づいて詳細に説明する。なお、図２は換気設備２４の構成を示す縦断面図であり、図３は屋外フード３３を屋外からみた一部破断正面図である。
【００３３】
まず基本構成を、図２に基づいて説明する。同図に示すように、前記キッチン１１の外壁部１２は、離間対向して設けられた内壁材１２ａ及び外壁材１２ｂを備え、これら各壁材１２ａ，１２ｂには、それぞれ互いに向かい合うようにして矩形状をなす開口部１３ａ，１３ｂが形成されている。各壁材１２ａ，１２ｂの開口部１３ａ，１３ｂ間には、屋内外方向に延びるとともに、開口部１３ａ，１３ｂの開口形状と合致する外周縁を有する通路筒体４１が挿通されている。この通路筒体４１により、キッチン１１と屋外とを連通する前記換気通路３１が形成されている。
【００３４】
前記換気扇装置３２は、前記内壁材１２ａに対して取り付けられている。換気扇装置３２は、装置本体４２と、換気ファン４３と、ファン駆動部４４とを有している。装置本体４２は矩形枠状に形成され、内壁材１２ａの開口部１３ａより大きく形成された空気取込口４２ａが形成されている。この空気取込口４２ａは、屋内側通気口に相当する。そして、装置本体４２は、その開口部１３ａを取り囲むようにして内壁材１２ａに取り付けられている。換気ファン４３は、装置本体４２の枠内に回動可能に設けられている。ファン駆動部４４は、例えば装置本体４２に設けられ、キッチン１１の空気を前記換気通路３１に導く空気流が形成されるように、換気ファン４３を回転駆動させる。
【００３５】
前記屋外フード３３は、前記外壁材１２ｂに対して取り付けられている。屋外フード３３は、枠体部４５とフード部４６とを有して構成されている。矩形状をなす枠体部４５はその枠内に外壁材１２ｂの開口部１３ｂが収まる大きさを有し、その開口部１３ｂを取り囲むようにして外壁材１２ｂに取り付けられている。この枠体部４５の枠内に前記フード部４６が設けられている。
【００３６】
フード部４６は、内壁材１２ａの開口部１３ａに対向する正面板部５１と、その両側の側面板部５２と、フード上側の上面板部５３とで形成されている。これら各板部５１〜５３により、開口部１３ａの屋外前方（外壁材１２ｂに向かって手前側）は、その上側、正面側及び左右両側が包囲されている。この包囲によって、フード部４６内には流通空間５４が設けられている。そして、正面板部５１の下端縁と両側の側面板部５２の下端縁とにより、フード部４６には下向きの排気口５５が形成されている。この排気口５５が屋外側通気口に相当する。換気通路３１を通じて流通空間５４に流れ込んだキッチン１１の空気は、排気口５５からその下方へ向かって排気される。
【００３７】
以上が、本実施形態における換気設備２４の基本構成である。
【００３８】
ところで、この換気設備２４には、前記屋外フード３３に、屋外の前記排気口５５の周辺を照らすための照明装置６１が設けられている。以下、この照明手段としての照明装置６１について、前記図２に併せて図３も参照しながら説明する。
【００３９】
図２に示すように、照明装置６１は、発光部として多数のＬＥＤ（発光ダイオード）６２を備えた発光ユニット６３と、発光ユニット６３におけるＬＥＤ６２の発光を駆動する発光駆動部６４とを有している。
【００４０】
発光ユニット６３は、前記屋外フード３３のフード部４６内において、前記排気口５５の開口縁部に設けられている。より具体的には、発光ユニット６３は両側の側面板部５２に設けられ、それぞれの内側下端部において、排気口５５の開口縁部を構成する部分の全域（図２における左右方向全域）にわたる範囲で設置されている。その設置範囲の全域にわたって前記ＬＥＤ６２が設けられており、その設置範囲全域で光が照射されるようになっている。
【００４１】
図３に示すように、発光ユニット６３は、それぞれ光の照射方向が異なる第１発光部６３ａ及び第２発光部６３ｂとを有している。第１発光部６３ａは、屋外フード３３の下方に向けてＬＥＤ６２の光を照射する。これにより、排気口５５の周辺部を含む屋外フード３３の下方がＬＥＤ６２による光照射範囲となる。図３に示すように、排気口５５の両側に発光ユニット６３が設けられているため、この下向きの光照射の範囲は広げられている。第２発光部６３ｂは、図３に示すように、排気口５５の内側に向けてＬＥＤ６２の光を照射する。これにより、排気口５５の略全域がＬＥＤ６２による光照射範囲となる。
【００４２】
発光ユニット６３は、異なる発光色のＬＥＤ６２を有して構成されている。具体的には、青色に発光する青色ＬＥＤと、赤色に発光する赤色ＬＥＤとを有している。前記第１発光部６３ａは青色ＬＥＤと赤色ＬＥＤとを含んで構成され、前記第２発光部６３ｂは青色ＬＥＤで構成されている。そして、第１発光部６３ａでは、青色と赤色とのうち、いずれか一方の色が選択されて、光が照射されるようになっている。
【００４３】
前記発光駆動部６４は、ＬＥＤコンバータにより構成されており、交流電力からなる商用電力を直流電力に変換しその変換した直流電力を発光ユニット６３に供給するものである。発光駆動部６４は前記換気通路３１内に設けられ、詳しくは換気通路３１における上下方向中央部かつ屋内外方向中央部に設けられている。発光駆動部６４はＬＥＤ６２を発光駆動することに伴って発熱するが、換気ファン４３の駆動によってキッチン１１の換気が行われていれば、発生した熱を換気通路３１で形成された空気流（換気流）によって発散させ、それを冷却することができる。
【００４４】
このように換気ファン４３が駆動中であれば、発光駆動部６４で生じる熱の発散が可能となる。ただ、換気ファン４３が非駆動状態であっても、屋外フード３３に設けられた照明装置６１によって屋外を照らしたい場合もある。そのような場合にも発光駆動部６４で生じる熱を発散させるための機構を、本実施形態の換気設備２４は備えている。この熱発散機構（冷却機構）について、前記図２に併せて図４を参照しながら説明する。
【００４５】
図２に示すように、この熱発散機構は、前記換気通路３１に設けられた一対の仕切り板部材７１ａ，７１ｂと、屋外フード３３に設けられた可動ガラリ７２とを備えている。
【００４６】
前記一対の仕切り板部材７１ａ，７１ｂは矩形状の平板よりなり、前記発光駆動部６４を挟んだ上下に水平対向した状態で設けられている。これら両仕切り板部材７１ａ，７１ｂが、可動板材に相当する。両仕切り板部材７１ａ，７１ｂは、屋内外方向における通路筒体４１の通路長さとほぼ同じ長さを有し、かつ、通路筒体４１の通路幅とほぼ同じ幅を有して形成されている。
【００４７】
各仕切り板部材７１ａ，７１ｂは、通路筒体４１の延びる方向（屋内外方向）において傾斜可能に構成されている。具体的には、仕切り板部材７１ａ，７１ｂには、屋内外方向の略中央部において、当該仕切り板部材７１ａ，７１ｂの幅方向（通路幅方向）に延びる回動軸部７３が設けられ、その回動軸部７３を中心として回動することにより傾斜可能とされている。その傾斜は両仕切り板部材７１ａ，７１ｂが平行をなす状態を維持しながら行われ、そのような傾斜を行うための平行維持機構（図示略）が設けられている。なお、平行維持機構は、例えば周知のリンク機構等によって構成されている。
【００４８】
図４は、仕切り板部材７１ａ，７１ｂが傾斜した状態を示す縦断面図である。この図４に示すように、仕切り板部材７１ａ，７１ｂは、屋内（キッチン１１）側から屋外側に向かって上向きに傾斜した第１状態（図４（ａ）参照）と、屋内側から屋外側に向かって下向きに傾斜した第２状態（図４（ｂ）参照）とに傾斜可能となっている。第１状態となった仕切り板部材７１ａ，７１ｂ間に形成された通路が第１通路に相当し、第２状態となった仕切り板部材７１ａ，７１ｂ間に形成された通路が第２通路に相当する。
【００４９】
図２に戻り、上記仕切り板部材７１ａ，７１ｂの第１状態又は第２状態への傾斜駆動は、仕切り駆動部７４によって行われる。すなわち、この仕切り駆動部７４の駆動によって各仕切り板部材７１ａ，７１ｂの前記回動軸部７３が同期して回動し、その回動により仕切り板部材７１ａ，７１ｂは第１状態又は第２状態に傾斜する。仕切り駆動部７４は電動モータ等を含んで構成され、例えば、通路筒体４１の外周部に設置されている。このため、通路形成手段はこの仕切り駆動部７４を含んで構成されている。
【００５０】
一方、前記可動ガラリ７２は、屋外フード３３におけるフード部４６の上部に設けられている。具体的には、フード部４６を構成する上面板部５３には上側開口部５６が形成され、その上側開口部５６に当該開口部５６を開閉するように可動ガラリ７２が設けられている。この可動ガラリ７２は、複数のルーバ７５を有しており、これら各ルーバ７５が回動することにより上側開口部５６が開閉される。つまり、水平方向に対する各ルーバ７５の傾斜角が大きくなると上側開口部５６が開状態となり、ルーバ７５間に形成された隙間を通じ、フード部４６内の流通空間５４とフード部４６外との間で空気の流通が可能となる。また、各ルーバ７５の傾斜角が小さくなると、ルーバ７５同士が一部重なり合って上側開口部５６は閉状態となる。
【００５１】
これら各ルーバ７５の駆動は、ガラリ駆動部７６によって行われる。すなわち、このガラリ駆動部７６の駆動によって各ルーバ７５が同期して回動し、その回動により各ルーバ７５は開状態又は閉状態に移行する。ガラリ駆動部７６は電動モータ等を含んで構成され、例えば、通路筒体４１の外周部に設置されている。
【００５２】
以上のように構成された熱発散機構を用いることで、ＬＥＤ６２を発光させることにより発光駆動部６４に生じた熱の発散は、次のようにして行われる。ここでは、相対的に温度の高い空気は温度の低い空気よりも上昇しやすく、温度の低い空気は温度の高い空気よりも下降しやすいという性質が利用される。前記図４を参照して、この熱発散作用を説明する。
【００５３】
屋外温度がキッチン１１の温度よりも低い場合には、図４（ａ）に示すように、仕切り板部材７１ａ，７１ｂを傾斜させて第１状態とし、かつ、可動ガラリ７２は各ルーバ７５の傾斜角を大きくして屋外フード３３の上側開口部５６を開状態とする。すると、屋内よりも温度の低い屋外の空気が屋外フード３３の上側開口部５６よりフード部４６内に流れ込み、その後、キッチン１１側に向かって下向きに傾斜する仕切り板部材７１ａ，７１ｂの間を通過し、キッチン１１側に流れ込む。仕切り板部材７１ａ，７１ｂ間には発光駆動部６４が存在しているため、この空気の流れによって発光駆動部６４の熱が発散される。
【００５４】
屋外温度がキッチン１１の温度よりも高い場合には、一方、図４（ｂ）に示すように、仕切り板部材７１ａ，７１ｂを傾斜させて第２状態とし、かつ、可動ガラリ７２は各ルーバ７５の傾斜角を小さくして屋外フード３３の上側開口部５６を閉状態とする。すると、屋内よりも温度の高い屋外の空気が屋外フード３３の排気口５５よりフード部４６内に流れ込み、その後、キッチン１１側に向かって上向きに傾斜する仕切り板部材７１ａ，７１ｂの間を通過し、キッチン１１側に流れ込む。この場合も、かかる空気の流れによって、仕切り板部材７１ａ，７１ｂ間に存在する発光駆動部６４の熱が発散される。
【００５５】
なお、前述したように、仕切り板部材７１ａ，７１ｂが第１状態となると、上側開口部５６が開状態とされてそこから外気が取り込まれるため、その開状態となった上が上側開口部５６が第１取込口に相当する。一方、仕切り板部材７１ａ，７１ｂが第２状態となると、排気口５５から外気が取り込まれるため、その排気口５５が第２取込口に相当する。
【００５６】
次に、換気設備２４に設けられた上記照明装置６１を制御する照明システムを説明する。まず、この照明システムの電気的構成について、図５に示すブロック図を参照しながら説明する。
【００５７】
照明システムは、システムの制御全体を司る発光制御手段としてのコントローラ８１が設けられている。コントローラ８１は、ＣＰＵやメモリ等を有する周知のマイクロコンピュータを主体に構成され、例えばキッチン１１の壁面に設けられている。
【００５８】
コントローラ８１には各種センサ類が接続され、それらセンサ類から検知結果が逐次入力されるようになっている。具体的には、コントローラ８１には、屋外温センサ８２、キッチン温センサ８３、駆動部温センサ８４及び人検知センサ８５が接続されている。
【００５９】
屋外温センサ８２は屋外の温度を検知するセンサであり、例えば外壁材１２ｂの屋外面において、屋外フード３３の側方等の位置に設けられている。キッチン温センサ８３は、キッチン１１の温度を検知するセンサであり、例えばキッチン１１における内壁材１２ａの屋内面に設けられている。駆動部温センサ８４は発光駆動部６４の温度を検知するセンサであり、例えば発光駆動部６４に内蔵されている。侵入者検知手段としての人検知センサ８５は、屋外フード３３周辺を検知対象として人の存在を検知するセンサであり、例えば外壁材１２ｂの屋外面に設けられている。
【００６０】
コントローラ８１には前記ファン駆動部４４、発光駆動部６４、仕切り駆動部７４及びガラリ駆動部７６がそれぞれ接続され、それら各駆動部４４，６４，７４，７６の駆動を制御する。そして、コントローラ８１は、各種の操作ボタン等が設けられた操作部８６を有しており、そのボタン操作によって個々のボタンと対応付けられた各種制御を実行する。その制御を実行する上で、前述した各センサ８２〜８５の検知結果が利用される。
【００６１】
例えば、換気ボタンが操作されれば、ファン駆動部４４を制御して換気ファン４３を駆動させ、キッチン１１における空気の換気を実行する。照明ボタンが操作されれば、発光駆動部６４を制御して発光ユニット６３のＬＥＤ６２を点灯させ、屋外フード３３の下方や排気口５５を照らす。この場合、照明ボタンに発光色（青色と赤色）の選択ボタンを設けることにより、所望の発光色で照らすことが可能となる。また、警戒ボタンが操作されれば、人検知センサ８５によって人検知された場合に、発光駆動部６４を制御して発光ユニット６３のＬＥＤ６２を赤色で発光させる。これにより、屋外の侵入者に対する威嚇効果が得られる。なお、単なる人検知ではなく、ＩＤ認証処理を実行して建物１０の利用者（住人等）か否かを判定し、不審者・侵入者であると判断した場合に、赤色発光させるようにしてもよい。
【００６２】
コントローラ８１は、前述したような個別制御の他、自動制御ボタンの操作により、換気ファン４３の駆動状態に連動して、発光ユニット６３におけるＬＥＤ６２の点灯や、発光駆動部６４の熱発散等を含む一連の照明制御処理を自動的に行う。その照明制御処理について、図６のフローチャートを参照しながら次に説明する。なお、この照明制御処理は所定の周期で繰り返し実行される。
【００６３】
まず、ステップＳ１１では、ファン駆動部４４の駆動状態に基づいて、換気ファン４３が駆動してキッチン１１の換気が行われているか否かを判定する。ファン駆動部４４が駆動状態にあり、キッチン１１の換気が行われている場合は、ステップＳ１３に進む。一方、ファン駆動部４４が被駆動状態にあり、キッチン１１の換気が行われていない場合は、ステップＳ１２に進む。
【００６４】
ステップＳ１２では、人検知センサ８５の検知結果に基づいて、屋外フード３３の周辺に人が存在しているか否かを判定する。人が存在している場合、例えば屋外フード３３の周辺を不審者がうろついている場合等には、ステップＳ１３に進む。なお、ここでもＩＤ認証処理を実行することにより、検知された人が建物１０の利用者（住人等）か否かを判定し、不審者・侵入者であると判断した場合に、判定を肯定するようにすることが好ましい。
【００６５】
ステップＳ１３では自動発光処理を実施する。この自動発光処理は、発光ユニット６３のＬＥＤ６２が発光状態にあるか否かに関係なく実行する。キッチン１１の換気実行時（ステップＳ１１におけるＹＥＳ判定）においては、発光ユニット６３の第１発光部６３ａ及び第２発光部６３ｂのいずれも、青色ＬＥＤで発光させる。これにより、屋外フード３３の下方領域と屋外フード３３の排気口５５内とが青色光で照らされる。このため、換気によって排気口５５から屋外フード３３の下方に向けて排気されるキッチン１１の空気は、青色光で照らされた領域を通過することになる。その青色光領域を通過することにより、キッチン１１の空気は青色光による殺菌機能によって殺菌された状態で屋外に排気される。その結果、排気が近隣へ及ぼす悪影響を抑制できる。
【００６６】
また、屋外フード３３の周辺に不審者がいる場合（ステップＳ１２におけるＹＥＳ判定）には、発光ユニット６３の第１発光部６３ａでは赤色ＬＥＤを発光させる一方、第２発光部６３ｂでは青色ＬＥＤを発光させる。これにより、屋外フード３３の下方領域が赤色で照らされることになり、その赤色光によって不審者・侵入者を威嚇できる。それとともに、排気口５５内は青色光で照らされるため、前述した排気に対する殺菌機能は維持され、排気が近隣へ及ぼす悪影響を抑制する効果は保持できる。
【００６７】
ステップＳ１２において、屋外フード３３の周辺に人が存在してない場合には、ステップＳ１４に進み、前述した自動発光処理を停止させる。これにより、自動発光処理を実行する際に、発光ユニット６３のＬＥＤ６２が消灯状態にあったならば、再び消灯状態に戻す。また、自動発光処理を実行する際に、発光ユニット６３のＬＥＤ６２が発光状態にあったならば、その発光状態に戻す。
【００６８】
ステップＳ１５では、ファン駆動部４４の駆動状態に基づいて、換気ファン４３が駆動してキッチン１１の換気が行われている否かを再び判定する。ファン駆動部４４が駆動状態にあり、キッチン１１の換気が行われている場合は、本処理を終了する。一方、ファン駆動部４４が非駆動状態にあり、キッチン１１の換気が行われていない場合は、ステップＳ１６に進む。
【００６９】
ステップＳ１６では、発光駆動部６４の駆動状態に基づいて、発光ユニット６３のＬＥＤ６２が発光中であるか否かを判定する。発光駆動部６４が非駆動状態にあり、発光ユニット６３のＬＥＤ６２が発光していない場合、発光駆動部６４は発熱していないため、そのまま本処理を終了する。一方、発光駆動部６４が駆動状態にあり、発光ユニット６３のＬＥＤ６２が発光している場合、つまり、換気通路３１に換気ファン４３の駆動による換気流が発生せず、かつ発光駆動部６４が発熱している場合は、ステップＳ１７に進む。
【００７０】
ステップＳ１７では、ＬＥＤ６２を発光させることによって発熱中の発光駆動部６４が、所定温度以上であるか否かを判定する。この判定は、駆動部温センサ８４の検知結果に基づいて行われるが、ＬＥＤ６２が点灯してからの点灯継続時間を測定し、そこから温度を推定するようにしてもよい。ここでの所定温度は、例えば３０℃に設定されている。そして、発光駆動部６４の温度がその所定温度以上であれば、ステップＳ１８に進む。
【００７１】
ステップＳ１８では、屋外温センサ８２及びキッチン温センサ８３の検知結果に基づいて、熱発散処理を実施する。この熱発散処理では、屋外温度がキッチン１１の温度よりも低い場合には、仕切り板部材７１ａ，７１ｂを傾斜させて第１状態とし、かつ、屋外フード３３の上側開口部５６を開状態とする（前述した図４（ａ）の状態）。一方、屋外温度がキッチン１１の温度よりも高い場合には、仕切り板部材７１ａ，７１ｂを傾斜させて第２状態とし、かつ、屋外フード３３の上側開口部５６を閉状態とする（前述した図４（ｂ）の状態）。これにより、屋外からキッチン１１に向かう空気の流れが形成され、その空気流によって発光駆動部６４の熱が発散される。発光駆動部６４の発熱が所定温度以上であり限り、この熱発散処理を継続して行う。そして、ステップＳ１７において、発光駆動部６４の発熱が所定温度以上でない場合は、ステップＳ１９に進み、熱発散処理を停止させる。
【００７２】
以上より、この第１の実施形態によれば、以下に示す有利な効果が得られる。
【００７３】
（１）換気設備２４にはその屋外側に照明装置６１が設けられ、キッチン１１の空気を屋外へ排気する場合に、屋外フード３３の下方及び排気口５５が青色光によって照らされる。これにより、キッチン１１の空気は、青色光が有する殺菌機能によって殺菌されて清浄化された状態で屋外へ排気されるため、その排気によって近隣等の周囲に悪い影響を及ぼすことを抑制できる。
【００７４】
（２）照明装置６１の発光駆動部６４は、換気通路３１内に設置されている。このため、ＬＥＤ６２を発光させることで発光駆動部６４に熱が発生しても、換気ファン４３が駆動していれば、それによって換気通路３１に形成される空気流で発光駆動部６４の熱を発散させることができる。
【００７５】
（３）発光駆動部６４を換気通路３１内に設置するだけでなく、換気ファン４３が被駆動状態の場合にも、発光駆動部６４の熱を発散させる熱発散機構を備えている。これにより、屋外温度の方が低い場合、高い場合のそれぞれにおいて、仕切り板部材７１ａ，７１ｂ及び可動ガラリ７２を駆動して空気の流通経路を形成し、屋内外の温度の違いによって生じる空気流によって発光駆動部６４の熱を発散させることができる。
【００７６】
（４）人検知センサ８５によって屋外の不審者が検知されると、照明装置６１は屋外フード３３の下方領域を赤色で照らすようになっている。これにより、その赤色光によって、敷地に進入した不審者を威嚇できる。この場合でも、排気口５５内は青色光で照らされるため、前述した排気に対する殺菌機能は維持され、排気が近隣へ及ぼす悪影響を抑制するという効果は保持できる。
【００７７】
［第２実施形態］
上記第１の実施形態では、建物１０のキッチン１１に設置された換気設備２４について説明したが、この第２の実施形態では、屋内全体を空調する全館空調システムの一部として換気設備が組み込まれている場合を想定している。
【００７８】
図７は、全館空調システムを有する建物１０の概略平面図である。この図７に示すように、建物１０には、前記キッチン１１の他に、主な建物内空間として、リビング１５、洋室１６、トイレ１７、浴室１８及び脱衣室１９等が設けられている。
【００７９】
図７に示すように、全館空調システムは、脱衣室１９に設けられた空調ユニット９１を備えている。屋内側構成部としての空調ユニット９１は、外気吸入ダクト９２と、給気ダクト９３と、屋内側通気口である空調口９４とを備えている。空調ユニット９１内には、給気ファン１０１、還気ファン１０２、空気の温度や湿度等を調整する空調装置１０３が設けられている。外気吸入ダクト９２の他端は、屋外側に設けられた屋外側構成部としての外気吸入部９２ａに接続されている。外気吸入部９２ａは、屋外側通気口としての外気取込口（図示略）を有している。給気ダクト９３は、建物１０内における複数の空調場所（例えば、図示のように、キッチン１１、リビング１５、洋室１６、脱衣室１９）に対応づけてそれぞれ設けられている。各ダクト９３の終端部（空調ユニット９１を始端とする場合の終端部）には、それぞれ給気グリル９５が設けられている。
【００８０】
空調ユニット９１は、空調制御を司るコントローラ９６によって制御される。コントローラ９６には操作部９７が設けられており、コントローラ９６による空調制御はこの操作部９７の操作に基づいて行われる。また、各空調場所には、温度や湿度等の空気環境の状態を検知する空気環境センサ９８が設けられている。空気環境センサ９８はそれぞれコントローラ９６に接続されており、コントローラ９６にその検知結果が逐次入力される。これら各空調場所における空気環境状態の検知結果を反映して、コントローラ９６による空調制御が行われる。
【００８１】
具体的な空調制御の内容として、例えば、次のようなことが行われる。空調ユニット９１の給気ファン１０１を回転させることにより、外気吸入ダクト９２を通じて外気を空調ユニット９１に取り込む。その外気を空調ユニット９１の空調装置１０３によって空調した後、空気環境状態に基づいて必要と判断した空調場所に、空調口９４や給気ダクト９３を通じて給気する。また、還気ファン１０２を回転させることにより、脱衣室１９の空気を空調口９４に還気し、その還気エアを必要とする空調場所に、給気ダクト９３を通じて給気する。
【００８２】
次に、前記空調ユニット９１の構成についてもう少し詳しく説明する。図８は、空調ユニット９１を示す斜視図である。この図８に示すように、空調ユニット９１はユニット本体１０４と、グリル部１０５とを備えている。
【００８３】
ユニット本体１０４は、脱衣室１９の天井部に設けられた天井開口部に設置され、天井裏部分に収納されている。空調ユニット９１が有する前記給気ファン１０１等の装置はこのユニット本体１０４内に設けられており、また、外気吸入ダクト９２及び給気ダクト９３がそれぞれユニット本体１０４に接続されている。ユニット本体１０４は下方に向けて開口しており、この開口が前記空調口９４となっている。このため、ユニット本体１０４内で空調された外気がこの空調口９４から下方に向けて吹き出すとともに、脱衣室１９の空気が空調口９４からユニット本体１０４内に向かって吸い込まれる。
【００８４】
グリル部１０５は、前記空調口９４の周囲を縁取るように設けられたグリル枠１０６と、そのグリル枠１０６内に設けられたグリルバー１０７とを有している。グリルバー１０７は長尺丸棒状に形成されており、グリル枠１０６を構成する平行な枠体間に複数のグリルバー１０７が平行に架け渡されている。脱衣室１９に設けられた前記空気環境センサ９８は、このグリルバー１０７に設けられている。
【００８５】
ところで、この空調ユニット９１には、洗濯物等の干し物を干すための物干し機能と、ＬＥＤを用いた照明機能とが付与されている。照明機能に関しては、照明装置が屋内側に設けられている点で前記第１実施形態の換気設備２４と異なる。以下、その物干し機能及び照明機能について、前記図７及び図８を参照しながら説明する。
【００８６】
まず、物干し機能について説明する。
【００８７】
図８に示すように、空調ユニット９１が有する前記各グリルバー１０７は、それぞれ上下動可能に設けられている。具体的には、個々のグリルバー１０７は、その長手方向両端部でワイヤ等の吊下げ索１１１によって吊り下げられた構成となっている。この吊下げ索１１１はグリルバー駆動部１１２によって巻取り又は巻戻しされ、その巻取り又は巻戻しによって個々のグリルバー１０７は個別に上下動する。つまり、吊下げ索１１１が巻き取られた状態では、グリルバー１０７がグリル枠１０６内に存在する上位置に配置され、吊下げ索１１１が巻き戻された状態では、グリルバー１０７が下方に存在する下位置に配置される。図８では、一つのグリルバー１０７が下位置に配置された状態を示している。
【００８８】
グリルバー駆動部１１２は電動モータ等を含んで構成され、ユニット本体１０４に設けられている。先の図７に示すように、グリルバー駆動部１１２はユニット本体１０４に設けられた給気ファン１０１等の装置と同様に、前記コントローラ９６と接続され、その制御を受けるようになっている。前記操作部９７にはバー上下動ボタンが設けられており、そのボタンが手動で操作されることにより、コントローラ９６はグリルバー駆動部１１２を駆動してグリルバー１０７を上下動させる。このため、操作者は所望する高さの下位置へグリルバー１０７を配置させることができる。また、吊下げ索１１１の巻戻し量を予め設定しておくことで、所定のボタン操作によりグリルバー１０７が所定の下位置に配置されるようにしてもよい。
【００８９】
前述したように、グリルバー１０７は長尺丸棒状に形成されているため、そのグリルバー１０７を利用して、干し物Ｈを吊下げたハンガー等の物干し部材１１３を引っ掛けることができる。このため、グリルバー１０７が物干し用の支持部材に相当する。その引っ掛けに際してグリルバー１０７を下位置に配置させれば、その引っ掛け作業が行いやすくなる。そして、その引っ掛け作業後に、グリルバー１０７を再び上位置に配置すれば、空調口９４の下方に洗濯物等の干し物Ｈが存在することになる。これにより、空調口９４から吹き出す空気を干し物Ｈにあててその乾燥を促進することができる。
【００９０】
また、空調ユニット９１がこの物干し機能を有することにより、コントローラ９６は、脱衣室１９の空気を還気して別の空調場所に給気する場合、次のような空調制御を行うことができる。すなわち、グリルバー１０７に干し物Ｈを吊下げた物干し部材１１３が引っ掛けられて、空調口９４の下方に干し物Ｈが存在する場合、還気ファン１０２の回転によって空調口９４に還気される空気は十分な湿気を含んでいる。空気環境センサ９８の検知によって乾燥していると判断した空調場所へその還気エアを給気することにより、その空調場所の湿度を整えることができる。
【００９１】
この場合、乾燥の度合いを判断する基準を一律に設定するのではなく、空調場所ごとに、そこに存在する利用者の嗜好や空調場所の用途に応じて最適とされる湿度を設定し、還気エアを給気するか否かの判断基準としてもよい。その場合、利用者の嗜好については、利用者が所持する携帯型識別装置に予めその嗜好情報を登録しておき、空調場所ごとに設置された受信装置によってその嗜好情報を取得するようにしてもよい。
【００９２】
次いで、照明機能について説明する。
【００９３】
空調ユニット９１には、照明手段としての照明装置１２１が設けられている。照明装置１１６は、第１の実施形態と同様、多数のＬＥＤ１２２を発光部として備えた発光ユニット１２３と、ＬＥＤ１２２の発光を駆動する発光駆動部１２４とを有している。
【００９４】
この実施形態における発光ユニット１２３は、グリル枠１０６の屋内に露出した部分に設けられている。より具体的には、発光ユニット１２３はグリル枠１０６を構成する平行な枠部に設けられ、それぞれ枠部の延びる方向の全域にわたって設置されている。その設置範囲の全域にわたってＬＥＤ１２２が設けられており、その設置範囲全域で光が照射されるようになっている。
【００９５】
両発光ユニット１２３は、下方かつ内向き（空調口９４の下方）に光が照射されるように、ＬＥＤ１２２が配置されている。これにより、空調口９４の下方がＬＥＤ１２２による光照射範囲となる。また、発光ユニット１２３は、異なる発光色のＬＥＤ１２２を有して構成されている。具体的には、青色に発光する青色ＬＥＤと、白色に発光する白色ＬＥＤとを有している。そして、青色と白色とのうち、いずれか一方の色が選択されて、光が照射されるようになっている。
【００９６】
発光駆動部１２４は、第１実施形態と同様に、空気流が形成される部分、例えば図示のようの外気吸入ダクト９２内に設置されいる。その外気吸入ダクト９２に形成される空気流により、ＬＥＤ１２２を発光させることによって発光駆動部１２４に生じた熱が発散されるようになっている。先の図７に示すように、この発光駆動部１２４も、ユニット本体１０４に設けられた給気ファン１０１等の装置と同様に、前記コントローラ９６と接続され、その制御を受けるようになっている。このため、発光制御手段としてのコントローラ９６によって、発光駆動部１２４が自動制御されたり、前記操作部９７に設けられた照明ボタンが手動で操作されることにより、コントローラ９６は選択された色のＬＥＤ１２２を発光させる。
【００９７】
そして、空調口９４の下方に洗濯物等の干し物Ｈが存在する状態で、青色光が選択されれば、その干し物Ｈが青色光で照らされる。上記第１実施形態で説明したようにこの青色光は殺菌機能を有するため、それよって干し物Ｈが殺菌されることになり、干し物Ｈに雑菌やカビが発生することが抑制される。これにより、雑菌やカビが原因となる臭いが干し物Ｈに付くことを抑制できる。そうであれば、照明の自動制御を行う場合にも、空気環境センサ９８の検知によって脱衣室１９の湿度が所定値以上となった場合に、青色光が照射されるようにすれば、同様の効果が得られる。一方、白色光が選択されれば脱衣室１９の照明となる。
【００９８】
なお、青色又は白色のＬＥＤ１２２が点灯することにより発生する熱を利用して、干し物Ｈを乾燥させることも可能である。青色光を発するＬＥＤ１２２であれば、前述したように殺菌機能も得られるため、干し物Ｈの乾燥と殺菌とを同時に行える点で好適である。
【００９９】
以上より、この第２の実施形態によれば、以下に示す有利な効果が得られる。
【０１００】
（１）空調ユニット９１が有する物干し機能を利用して、空調口９４の下方に洗濯物等の干し物Ｈを存在させれば、その干し物Ｈに取り込んだ外気をあてて、その干し物Ｈを乾燥させることができる。
【０１０１】
（２）併せて、空調ユニット９１が有する照明機能を利用し、発光によってＬＥＤ１２２に生じる熱を利用して、干し物Ｈを乾燥させることもできる。また、干し物Ｈに青色光が照らされるようにしたため、その青色光の殺菌機能により雑菌等の繁殖が抑制される。これにより、雨天等による室内干しの場合であっても、雑菌等によって干し物Ｈに臭いがつくことを抑制できる。
【０１０２】
（３）照明装置１２１の発光駆動部１２４は、外気吸入ダクト９２内に設置されている。このため、ＬＥＤ１２２を発光させることで発光駆動部１２４に熱が発生しても、外気吸入動作が行われていれば、ダクト９２に形成される空気流によって発光駆動部１２４の熱を発散させることができる。
【０１０３】
（４）空調口９４の下方に干し物Ｈが存在する場合、還気ファン１０２の回転によって空調口９４に還気される空気は十分な湿気を含んでいる。このため、空気環境センサ９８の検知によって乾燥していると判断した空調場所へその還気エアを給気することにより、建物内の湿度を整えることができる。
【０１０４】
［別の実施形態］
なお、以上説明した実施の形態に限らず、例えば以下に別例として示した形態で実施することもできる。
【０１０５】
・上記第１及び第２の実施形態では、発光ユニット６３，１２３のＬＥＤ６２，１２２を、青色及び赤色で構成したり、青色及び白色で構成したりして、そのいずれかの色に変色可能とした。これに代えて、他の色のＬＥＤ６２，１２２をさらに組合せたり、変更したりしてもよい。他の色としては、例えば、間接照明機能を有する電球色や、赤色と同様に威嚇効果を有する黄色等が考えられる。
【０１０６】
また、赤色光には不審者に対する威嚇機能だけでなく、他にも、注意喚起機能や、血行促進機能、美肌効果を有する。このため、屋内側を照らす場合に利用してもよい。これにより、第１の実施形態では、キッチン１１での作業中に血行促進機能や美肌効果が得られる。また、第２の実施形態では、赤色光で発光させる美肌モードや、青色光で発光させる乾燥モード等、発光色に合わせた各種の運転モードを設定することもできる。
【０１０７】
なお、発光色を他の色に変更する場合でも、換気を行う際に、青色光が有する殺菌機能を得るべく、少なくとも青色が含まれていることが必要となる。
【０１０８】
このように、発光ユニット６３，１２３を、少なくとも青色を含む様々な発光色によって変色可能とすることにより、それぞれの発光色が有する機能や効果を活かして換気設備２４の屋内外周辺の環境を改善できる。
【０１０９】
・上記第１の実施形態では照明装置６１が屋外側に設けられ、第２の実施形態では照明装置１２１が屋内側に設けられているが、いずれにおいても屋内外両側に照明装置６１，１２１が設置された構成を採用してもよい。その場合、ＬＥＤ６２，１２２による光の照射方向も、発光色が有する機能や照明の演出効果等を考慮しながら、任意に設定することができる。
【０１１０】
第１の実施形態の換気設備２４であれば、例えば、次のような光の照射方向を設定できる。図９（ａ）に示すように、屋内側では、換気扇装置３２の下端側に照明装置６１を設けてその下方を照らすようにし、屋外側では、屋外フード３３の正面板部５１に照明装置６１を設けてその前方を照らすようにする。この構成によると、屋内側の照明装置６１で白色のＬＥＤ６２で照明可能とすれば、作業台２１での作業を行いやすくなる。また、赤色のＬＥＤ６２で照明可能とすれば、作業しながら血行促進機能や美肌効果が得られる。
【０１１１】
また、図９（ｂ）に示すように、屋内側では、換気扇装置３２の上面に照明装置６１を設けてその上方を照らすようにし、屋外側では、屋外フード３３の上面板部５３に照明装置６１を設けてその上方を照らすようにする。この構成によると、青色をはじめどの色を選択しても、屋内外の照明装置６１で照明演出できる。
【０１１２】
一方、第２の実施形態の全館空調システムであれば、屋外側の外気吸入部９２ａに設けられた照明装置１２１により、その周辺が青色光によって照らされるように構成すれば、外気が取り込まれる際に青色光によって殺菌される。これにより、取り込まれた外気によって屋内環境がかえって悪化することを抑制できる。また、屋外側に設けられた照明装置１２１によって、照明演出も可能となる。
【０１１３】
・上記第１及び第２の実施形態において、発光ユニット６３，１２３の設置態様として、他の構成を採用してもよい。第１の実施形態であれば、例えば、排気口５５の開口周縁の周方向全域にわたって発光ユニット６３を設置したり、排気口５５の外に発光ユニット６３を設置したりしてもよい。後者の構成であっても、排気口５５の下方がＬＥＤ６２によって照らされるように、当該ＬＥＤ６２を配置させればよい。また、第２の実施形態であれば、例えば、グリル枠１０６の枠全域にわたって発光ユニット１２３を設置したり、グリルバー１０７ごとに発光ユニット１２３を設置したりしてもよい。
【０１１４】
・上記第１の実施形態では、キッチン１１の空気を屋外に排気する換気設備２４を例として説明したが、換気ファン４３の回転方向を逆転させて、第２の実施形態の全館空調システムのように、外気をキッチン１１に取り込むようにしてもよい。この場合、屋外フード３３の排気口５５が外気導入口として機能し、外気がそこを通過する際に青色光によって殺菌され、その殺菌された外気を取り込むことができる。これにより、取り込まれた外気によって屋内環境がかえって悪化することを抑制できる。
【０１１５】
・上記第１の実施形態では、換気設備２４に発光駆動部６４の熱を発散させる熱発散機構が設けられているが、その熱発散機構は必須の構成ではなく、これを省略するようにしてもよい。発光駆動部６４そのものの構成を、周知の技術（例えば、放熱部を設ける等）を用いることで熱を発散させることも可能だからである。
【０１１６】
・上記第１の実施形態では、換気設備２４がキッチン１１に設けられた場合を例として説明したが、この換気設備２４を、例えばリビング１５、洋室１６、トイレ１７及び浴室１８等、キッチン１１以外の建物内空間に設置してもよい。この場合、換気設備２４の設置箇所によっては、照明を足元灯として機能させることができる。また、このように換気設備２４の設置箇所が任意となる理由として、屋外側の照明装置６１を利用して照明演出が可能となるため、美観低下を避けるために必要とされていた換気設備２４の配置制限が少なくなるということも挙げられる。これにより、建物１０における間取り設計の幅を広げることができる。
【０１１７】
特に、浴室１８等の水回りやトイレ１７のように、雑菌やカビが比較的発生し易い屋内空間に設置されることが効果的である。換気に際して雑菌やカビが青色光によって殺菌されるため、雑菌やカビを含む屋内空気によって近隣等に悪影響を及ぼしたり、外気に含まれる雑菌やカビによって屋内空間にそれらをさらに増やしたりすることを抑制できる。
【０１１８】
・上記第１の実施形態では、換気ファン４３を有する換気扇装置３２が屋内側の内壁材１２ａに設置されているが、外壁材１２ｂの開口部１３ｂに換気ファン４３が設置された構成を採用してもよい。また、屋外側構成部として屋外フード３３を例としたが、例えば、排気ガラリ等であってもよい。
【０１１９】
・上記第１の実施形態において、建物１０が有する車両駐車スペースに面して換気設備２４が設置された構成では、屋外側に設けられた照明装置６１により、車両駐車スペースを照らすことも可能となる。この場合、発光ユニット６３には、車両駐車スペースを光照射範囲とする第３発光部を設け、屋外側に設けられた車両検知センサにより、予め登録された車両が検知された場合に、コントローラ８１が自動的にその第３発光部を点灯させるようにする。
【０１２０】
・上記第２の実施形態では、全てのグリルバー１０７を上下動させるようにしたが、一部のグリルバー１０７だけを上下動させる構成を採用してもよい。また、グリル枠１０６内に、物干し部材１１３が引っ掛けられるグリルバー１０７の他、空調口９４からの空気吹出方向や空気吸込方向を変更する可動ルーバを設けてもよい。その場合、可動ルーバを上下動させて、そこに物干し部材が引っ掛けられるようにしてもよい。
【０１２１】
その他、図１０に示すように、物干し用の支持部材として、上記グリルバー１０７に代えて網状グリル１３１をグリル枠１０６内に設け、その網状グリル１３１を上下動させるようにした構成を採用してもよい。この場合、網状グリル１３１はその四隅に連結された吊下げ索１１１によって、グリル枠１０６から吊下げられる。そして、図示のように、網状グリル１３１が下位置に配置された状態で、網部分を利用して物干し部材１３１を引っ掛けることができる。
【０１２２】
・上記第２の実施形態では、脱衣室１９における湿気を含んだ空気を各空調場所へ還気するようにしたが、各空調場所において還気エアが給気されているか否かを、その空調場所に存在する人が一見して把握できるようにすることが好ましい。その場合、各空調場所に設けられた給気グリル９５に色の異なるＬＥＤを設置し、還気エアの給気状態と非給気状態とで発光色を異ならせて発光させるようにすることで、それを実現できる。
【０１２３】
・上記第２の実施形態についても、空調ユニット９１を、例えばリビング１５、洋室１６、トイレ１７及び浴室１８等、キッチン１１以外の建物内空間に設置してもよい。
【符号の説明】
【０１２４】
２４…換気設備、３１…換気通路、３２…換気扇装置（屋内側構成部）、３３…屋外フード（屋外側構成部）、４２ａ…空気取込口（屋内側通気口）、４３…換気ファン、５５…排気口（屋外側通気口、第２取込口）、５６…上側開口部（第１取込口）、６１…照明装置（照明手段）、６２…ＬＥＤ（発光部）、６４…発光駆動部、７１…仕切り板部材（水平板材）、８１…コントローラ（発光制御手段）、８５…人検知センサ（侵入者検知手段）、９１…空調ユニット（屋内側構成部）、９２ａ…外気吸入部（屋外側構成部、屋外側通気口）、９４…空調口（屋内側通気口）、９６…コントローラ（発光制御手段）、１０７…グリルバー（支持部材）、１２２…照明装置（照明手段）、１２２…ＬＥＤ（発光部）、１２４…発光駆動部。
【図１】
2012037105.tif 000003
【図２】
2012037105.tif 000004
【図３】
2012037105.tif 000005
【図４】
2012037105.tif 000006
【図５】
2012037105.tif 000007
【図６】
2012037105.tif 000008
【図７】
2012037105.tif 000009
【図８】
2012037105.tif 000010
【図９】
2012037105.tif 000011
【図１０】
2012037105.tif 000012